(57)【要約】【課題】駆動モードの切替え時に画像の表示品位が過度に低下するのを抑制する。【解決手段】液晶表示装置１は、複数のソース信号線Ｓ１〜Ｓｍ及び複数のゲート信号線Ｇ１〜Ｇｎに接続された複数の画素電極を有する液晶表示パネル１２と、入力画像信号に応じて複数の画素電極に対して電圧を印加するゲート駆動部１３及びソース駆動部１４と、電圧印加の駆動モードを、第１駆動モードと第２反転駆動モードとの間で、中間反転駆動モードを経て切り替えるようにゲート駆動部及びソース駆動部を制御する制御部１１と、を備える。中間反転駆動モードは、一のソース信号線に接続された画素電極に印加する電圧の極性を複数のゲート信号線ごとに反転させ、互いに隣接するソース信号線に接続され同一のゲート信号線に接続された画素電極に印加する電圧の極性を反転させ、かつ、フレームごとに各画素電極に印加する電圧の極性を反転する駆動モードである。【選択図】図１
2014056091.tif 000002
【特許請求の範囲】
【請求項１】
複数のソース信号線と、複数のゲート信号線と、前記ソース信号線及び前記ゲート信号線に接続された複数の画素電極と、を有し、入力画像信号に対応する画像をフレームごとに表示する液晶表示部と、
前記入力画像信号に応じて前記複数の画素電極に対して電圧を印加する駆動部と、
前記複数の画素電極に対する電圧印加の駆動モードを、第１駆動モードと第２駆動モードとの間で、中間反転駆動モードを経て切り替えるように前記駆動部を制御する制御部と、
を備え、
前記中間反転駆動モードは、一のソース信号線に接続された画素電極に印加する電圧の極性を複数のゲート信号線ごとに反転させ、互いに隣接するソース信号線に接続され同一のゲート信号線に接続された画素電極に印加する電圧の極性を反転させ、かつ、フレームごとに各画素電極に印加する電圧の極性を反転する駆動モードであることを特徴とする液晶表示装置。
【請求項２】
前記制御部は、前記中間反転駆動モードでは、一のソース信号線に接続された画素電極に印加する電圧の極性をＭ（Ｍは正の整数）回反転させた第１極性反転パターンを用い、
前記第１駆動モードは、一のソース信号線に接続された画素電極に印加する電圧の極性をＩ回（Ｉは０以上かつＭ未満の整数）反転させ、互いに隣接するソース信号線に接続され同一のゲート信号線に接続された画素電極に印加する電圧の極性を反転させ、かつ、フレームごとに各画素電極に印加する電圧の極性を反転する駆動モードであり、
前記第２駆動モードは、一のソース信号線に接続された画素電極に印加する電圧の極性をＪ回（ＪはＭより大きい整数）反転させ、互いに隣接するソース信号線に接続され同一のゲート信号線に接続された画素電極に印加する電圧の極性を反転させ、かつ、フレームごとに各画素電極に印加する電圧の極性を反転する駆動モードであることを特徴とする請求項１記載の液晶表示装置。
【請求項３】
前記制御部は、前記中間反転駆動モードでは、一のソース信号線に接続された画素電極に印加する電圧の極性をＮ（ＮはＭより大きく、かつＪ未満の整数）回反転させた第２極性反転パターンをさらに用い、かつ、前記第１駆動モードから前記第２駆動モードに切り替える際には、前記第１極性反転パターンを使用した後で前記第２極性反転パターンを使用することを特徴とする請求項２記載の液晶表示装置。
【請求項４】
前記制御部は、前記中間反転駆動モードでは、一のソース信号線に接続された画素電極に印加する電圧の極性をＬ（Ｌは２より大きい整数）本のゲート信号線ごとに反転させた第１極性反転パターンと、一のソース信号線に接続された画素電極に印加する電圧の極性をＫ（Ｋは２以上かつＬ未満の整数）本のゲート信号線ごとに反転させた第２極性反転パターンと、を使用し、かつ、前記第１駆動モードから前記第２駆動モードに切り替える際には、前記第１極性反転パターンを使用した後で前記第２極性反転パターンを使用し、
前記第１駆動モードは、カラム反転駆動モードまたは一のソース信号線に接続された画素電極に印加する電圧の極性をＸ（ＸはＬより大きな整数）本のゲート信号線ごとに反転させ、互いに隣接するソース信号線に接続され同一のゲート信号線に接続された画素電極に印加する電圧の極性を反転させ、かつ、フレームごとに各画素電極に印加する電圧の極性を反転する駆動モードであり、
前記第２駆動モードは、一のソース信号線に接続された画素電極に印加する電圧の極性をＹ（Ｙは１以上かつＫ未満の整数）本のゲート信号線ごとに反転させ、互いに隣接するソース信号線に接続され同一のゲート信号線に接続された画素電極に印加する電圧の極性を反転させ、かつ、フレームごとに各画素電極に印加する電圧の極性を反転する駆動モードであることを特徴とする請求項１記載の液晶表示装置。
【請求項５】
前記制御部は、前記中間反転駆動モードにおいて、前記第１極性反転パターンを少なくとも２フレーム連続して使用し、前記第２極性反転パターンを少なくとも２フレーム連続して使用することを特徴とする請求項３又は４記載の液晶表示装置。
【請求項６】
前記液晶表示部は、第１フレーム及び第２フレームの順番で前記画像を表示し、
前記第１フレームにおいて前記第１極性反転パターンが使用され、かつ前記第２フレームにおいて前記第２極性反転パターンが使用される場合には、前記第２フレームにおいて一のソース信号線に接続された画素電極に対してゲート信号線ごとに順番に電圧が印加される際に、印加電圧の極性が直前の画素電極から反転する画素電極は、極性が前記第１フレームから反転する第１画素電極と、極性が前記第１フレームと同じ第２画素電極と、を含み、
前記制御部は、前記入力画像信号に応じて前記第１画素電極及び前記第２画素電極に印加する電圧を決定する決定部を含み、
前記決定部は、前記第２フレームにおいて前記入力画像信号が前記第１画素電極及び前記第２画素電極に対して同一の電圧レベルを規定する場合に、前記第１画素電極に対して印加する電圧を、前記第２画素電極に対して印加する電圧に比べて高い電圧に決定することを特徴とする請求項４又は５記載の液晶表示装置。
【請求項７】
前記液晶表示部は、第１フレーム及び第２フレームの順番で前記画像を表示し、
前記複数の画素電極は、前記第２フレームにおける印加電圧の極性が前記第１フレームと同じ同一電極と、前記第２フレームにおける印加電圧の極性が前記第１フレームから反転する反転電極と、を含み、
前記制御部は、前記入力画像信号に応じて前記同一電極及び前記反転電極に印加する電圧を決定する電圧決定部を含み、
前記電圧決定部は、前記第２フレームにおいて、前記入力画像信号が前記同一電極及び前記反転電極に対して同一の電圧レベルを規定する場合に、前記同一電極に対して印加する電圧を、前記反転電極に対して印加する電圧より低い電圧に決定することを特徴とする請求項１乃至６のいずれか１項に記載の液晶表示装置。
【請求項８】
前記第１駆動モード時のフレーム期間は前記中間反転駆動モード時のフレーム期間に比べて短いことを特徴とする請求項１乃至７のいずれか１項に記載の液晶表示装置。
【請求項９】
前記制御部は、前記入力画像信号の特徴量に基づき、前記駆動モードを前記第１駆動モードと前記第２駆動モードとの間で切り替えることを特徴とする請求項１乃至８のいずれか１項に記載の液晶表示装置。
【請求項１０】
前記特徴量は、前記液晶表示部に画像を表示する際のフレームレートであり、
前記制御部は、前記フレームレートが基準値以上のときは前記駆動モードを前記第１駆動モードに切り替え、前記フレームレートが前記基準値未満のときは前記駆動モードを前記第２駆動モードに切り替えることを特徴とする請求項９記載の液晶表示装置。
【請求項１１】
前記特徴量は、前記液晶表示部に表示される画像内のオブジェクトの動き量であり、
前記制御部は、前記動き量が閾値以上のときは前記駆動モードを前記第１駆動モードに切り替え、前記動き量が前記閾値未満のときは前記駆動モードを前記第２駆動モードに切り替えることを特徴とする請求項９記載の液晶表示装置。
【請求項１２】
前記第１駆動モードはカラム反転駆動モードであり、
前記第２駆動モードはドット反転駆動モードであり、
前記カラム反転駆動モードは、一のソース信号線に接続された画素電極に同一極性の電圧を印加し、互いに隣接するソース信号線に接続された画素電極に印加する電圧の極性を反転し、かつ、フレームごとに各画素電極に印加する電圧の極性を反転する駆動モードであり、
前記ドット反転駆動モードは、互いに隣接する画素電極に逆極性の電圧を印加し、かつ、フレームごとに各画素電極に印加する電圧の極性を反転する駆動モードであることを特徴とする請求項１乃至１１のいずれか１項に記載の液晶表示装置。
【発明の詳細な説明】
【技術分野】
【０００１】
本発明は、液晶表示部に画像を表示する液晶表示装置に関するものである。
【背景技術】
【０００２】
コンピュータやその他の情報機器の高精細度カラーモニター、あるいはテレビジョン受像機といった表示装置として、液晶表示装置が使用される。液晶表示装置は、基本的には、少なくとも一方が透明なガラス等からなる二枚の基板の間に、液晶を挟持した液晶表示部を有する。そして、液晶表示装置は、この液晶表示部の基板に形成された画素電極に選択的に電圧を印加する駆動部を備える。この駆動部による電圧印加によって、各画素電極の画素が制御される。
【０００３】
液晶表示部は、一般に、複数のゲート信号線、複数のソース信号線及び複数の画素電極を備える。複数のゲート信号線は、それぞれ例えば横方向（主走査方向）に延びており、縦方向（副走査方向）に並んで設けられている。複数のソース信号線は、それぞれ例えば縦方向（副走査方向）に延びており、横方向（主走査方向）に並んで設けられている。複数のゲート信号線及び複数のソース信号線の交点に、マトリクス状に複数の薄膜トランジスタ（ＴＦＴ）及び画素電極が配置されている。駆動部は、ゲート信号線にＴＦＴをオンオフするための電圧を印加する。また、駆動部は、入力画像信号に基づく電圧をソース信号線を介して画素電極に印加して、画素電極に対応して設けられた液晶の透過率を印加電圧に応じた値に変更する。このとき、駆動部は、入力画像信号を１水平期間分保持し、液晶表示部のソース信号線に出力する。
【０００４】
一般に、液晶を駆動するために直流の駆動電圧を画素電極に印加すると、液晶が劣化して寿命が短くなるため、液晶表示部では、画素電極に印加する電圧の極性をフレームごとに反転させる交流電圧駆動が行われている。交流電圧駆動を行うための液晶表示部の駆動モードとして、カラム反転駆動モードと、ドット反転駆動モードとが知られている。カラム反転駆動モードは、各フレームにおいて同一のソース信号線に接続された画素電極に同一極性の電圧を印加し、互いに隣接するソース信号線に接続された画素電極に印加する電圧の極性を反転し、かつ、フレームごとに各画素電極に印加する電圧の極性を反転する駆動モードである。ドット反転駆動モードは、各フレームにおいて互いに隣接する画素電極に逆極性の電圧を印加し、かつ、フレームごとに各画素電極に印加する電圧の極性を反転する駆動モードである。
【０００５】
ここで、カラム反転駆動モードとドット反転駆動モードとを比較する。カラム反転駆動モードは、１フレーム期間を通じて、ソース信号線に接続された画素電極に印加する電圧の極性が同一である。このため、カラム反転駆動モードは、画素電極へのデータ書込み（電圧印加）において有利な駆動モードであり、長いデータ書込時間を確保できない場合に好適である。その一方で、カラム反転駆動モードは、クロストークやフリッカの性能で劣る。逆に、ドット反転駆動モードは、クロストークやフリッカの性能は高いが、画素電極へのデータ書込みに比較的長い時間を要する。
【０００６】
そこで、特許文献１に記載の装置では、入力画像信号のフレームレートが高いときは、カラム反転駆動モードとし、入力画像信号のフレームレートが低いときは、ドット反転駆動モードとして、液晶表示部の駆動モードを切り替えている。
【先行技術文献】
【特許文献】
【０００７】
【特許文献１】特開２００５−２１５５９１号公報
【発明の概要】
【発明が解決しようとする課題】
【０００８】
液晶表示部の駆動モードを、ドット反転駆動モードとカラム反転駆動モードとの間で直接切り替えると、急激な負荷変動が生じて、駆動モードの切替え時に、液晶表示部に画像が連続的に表示されずに境界が生じる可能性があり、その場合には、画像の表示品位が低下する。しかしながら、上記特許文献１に記載の装置では、この点について全く考慮されていない。
【０００９】
本発明は、上述した課題を解決するためになされたもので、液晶表示部の駆動モードの切替え時に、画像の表示品位が過度に低下するのを抑制することができる液晶表示装置を提供することを目的とする。
【課題を解決するための手段】
【００１０】
本発明に係る液晶表示装置は、複数のソース信号線と、複数のゲート信号線と、前記ソース信号線及び前記ゲート信号線に接続された複数の画素電極と、を有し、入力画像信号に対応する画像をフレームごとに表示する液晶表示部と、前記入力画像信号に応じて前記複数の画素電極に対して電圧を印加する駆動部と、前記複数の画素電極に対する電圧印加の駆動モードを、第１駆動モードと第２駆動モードとの間で、中間反転駆動モードを経て切り替えるように前記駆動部を制御する制御部と、を備え、前記中間反転駆動モードは、一のソース信号線に接続された画素電極に印加する電圧の極性を複数のゲート信号線ごとに反転させ、互いに隣接するソース信号線に接続され同一のゲート信号線に接続された画素電極に印加する電圧の極性を反転させ、かつ、フレームごとに各画素電極に印加する電圧の極性を反転する駆動モードである。
【００１１】
この構成によれば、液晶表示部は、複数のソース信号線と、複数のゲート信号線と、ソース信号線及びゲート信号線に接続された複数の画素電極と、を有し、入力画像信号に対応する画像をフレームごとに表示する。駆動部は、入力画像信号に応じて複数の画素電極に対して電圧を印加する。制御部は、複数の画素電極に対する電圧印加の駆動モードを、第１駆動モードと第２駆動モードとの間で、中間反転駆動モードを経て切り替える。中間反転駆動モードは、一のソース信号線に接続された画素電極に印加する電圧の極性を複数のゲート信号線ごとに反転させ、互いに隣接するソース信号線に接続され同一のゲート信号線に接続された画素電極に印加する電圧の極性を反転させ、かつ、フレームごとに各画素電極に印加する電圧の極性を反転する駆動モードである。
【００１２】
したがって、第１駆動モードから直接第２駆動モードに、または第２駆動モードから直接第１駆動モードに、切り替わる場合に比べて、駆動モードを滑らかに切り替えることができる。このため、駆動モードの切替え時に、液晶表示部に画像が連続的に表示されずに境界が生じて、画像の表示品位が過度に低下するのを抑制することができる。
【００１３】
上記液晶表示装置において、前記制御部は、前記中間反転駆動モードでは、一のソース信号線に接続された画素電極に印加する電圧の極性をＭ（Ｍは正の整数）回反転させた第１極性反転パターンを用い、前記第１駆動モードは、一のソース信号線に接続された画素電極に印加する電圧の極性をＩ回（Ｉは０以上かつＭ未満の整数）反転させ、互いに隣接するソース信号線に接続され同一のゲート信号線に接続された画素電極に印加する電圧の極性を反転させ、かつ、フレームごとに各画素電極に印加する電圧の極性を反転する駆動モードであり、前記第２駆動モードは、一のソース信号線に接続された画素電極に印加する電圧の極性をＪ回（ＪはＭより大きい整数）反転させ、互いに隣接するソース信号線に接続され同一のゲート信号線に接続された画素電極に印加する電圧の極性を反転させ、かつ、フレームごとに各画素電極に印加する電圧の極性を反転する駆動モードであるとしてもよい。
【００１４】
この構成によれば、制御部は、中間反転駆動モードでは、一のソース信号線に接続された画素電極に印加する電圧の極性を所定のゲート信号線でＭ（Ｍは正の整数）回反転させた第１極性反転パターンを用いる。第１駆動モードは、一のソース信号線に接続された画素電極に印加する電圧の極性をＩ回（Ｉは０以上かつＭ未満の整数）反転させ、互いに隣接するソース信号線に接続され同一のゲート信号線に接続された画素電極に印加する電圧の極性を反転させ、かつ、フレームごとに各画素電極に印加する電圧の極性を反転する駆動モードである。第２駆動モードは、一のソース信号線に接続された画素電極に印加する電圧の極性をＪ回（ＪはＭより大きい整数）反転させ、互いに隣接するソース信号線に接続され同一のゲート信号線に接続された画素電極に印加する電圧の極性を反転させ、かつ、フレームごとに各画素電極に印加する電圧の極性を反転する駆動モードである。したがって、第１駆動モードから第１極性反転パターンを経て第２駆動モードに切り替えられると、極性の反転回数が段階的に減少するため、第１駆動モードから第２駆動モードに駆動モードを滑らかに切り替えることができる。
【００１５】
上記液晶表示装置において、前記制御部は、前記中間反転駆動モードでは、一のソース信号線に接続された画素電極に印加する電圧の極性をＮ（ＮはＭより大きく、かつＪ未満の整数）回反転させた第２極性反転パターンをさらに用い、かつ、前記第１駆動モードから前記第２駆動モードに切り替える際には、前記第１極性反転パターンを使用した後で前記第２極性反転パターンを使用するとしてもよい。
【００１６】
この構成によれば、制御部は、中間反転駆動モードでは、一のソース信号線に接続された画素電極に印加する電圧の極性をＮ（ＮはＭより大きく、かつＪ未満の整数）回反転させた第２極性反転パターンをさらに用い、かつ、第１駆動モードから第２駆動モードに切り替える際には、第１極性反転パターンを使用した後で第２極性反転パターンを使用する。したがって、第１駆動モードから第１極性反転パターン、第２極性反転パターンを経て第２駆動モードに切り替えられると、極性の反転回数が段階的に減少するため、第１駆動モードから第２駆動モードに駆動モードを滑らかに切り替えることができる。
【００１７】
上記液晶表示装置において、前記制御部は、前記中間反転駆動モードでは、一のソース信号線に接続された画素電極に印加する電圧の極性をＬ（Ｌは２より大きい整数）本のゲート信号線ごとに反転させた第１極性反転パターンと、一のソース信号線に接続された画素電極に印加する電圧の極性をＫ（Ｋは２以上かつＬ未満の整数）本のゲート信号線ごとに反転させた第２極性反転パターンと、を使用し、かつ、前記第１駆動モードから前記第２駆動モードに切り替える際には、前記第１極性反転パターンを使用した後で前記第２極性反転パターンを使用し、前記第１駆動モードは、カラム反転駆動モードまたは一のソース信号線に接続された画素電極に印加する電圧の極性をＸ（ＸはＬより大きな整数）本のゲート信号線ごとに反転させ、互いに隣接するソース信号線に接続され同一のゲート信号線に接続された画素電極に印加する電圧の極性を反転させ、かつ、フレームごとに各画素電極に印加する電圧の極性を反転する駆動モードであり、前記第２駆動モードは、一のソース信号線に接続された画素電極に印加する電圧の極性をＹ（Ｙは１以上かつＫ未満の整数）本のゲート信号線ごとに反転させ、互いに隣接するソース信号線に接続され同一のゲート信号線に接続された画素電極に印加する電圧の極性を反転させ、かつ、フレームごとに各画素電極に印加する電圧の極性を反転する駆動モードであるとしてもよい。
【００１８】
この構成によれば、第１極性反転パターンでは、一のソース信号線に接続された画素電極に印加する電圧の極性をＬ（Ｌは２より大きい整数）本のゲート信号線ごとに反転させる。第２極性反転パターンでは、一のソース信号線に接続された画素電極に印加する電圧の極性をＫ（Ｋは２以上かつＬ未満の整数）本のゲート信号線ごとに反転させる。制御部により、中間反転駆動モードでは、第１駆動モードから第２駆動モードに切り替える際には、第１極性反転パターンが使用された後で、第２極性反転パターンが使用される。第１駆動モードは、カラム反転駆動モードまたは一のソース信号線に接続された画素電極に印加する電圧の極性をＸ（ＸはＬより大きな整数）本のゲート信号線ごとに反転させ、互いに隣接するソース信号線に接続され同一のゲート信号線に接続された画素電極に印加する電圧の極性を反転させ、かつ、フレームごとに各画素電極に印加する電圧の極性を反転する駆動モードである。第２駆動モードは、一のソース信号線に接続された画素電極に印加する電圧の極性をＹ（Ｙは１以上かつＫ未満の整数）本のゲート信号線ごとに反転させ、互いに隣接するソース信号線に接続され同一のゲート信号線に接続された画素電極に印加する電圧の極性を反転させ、かつ、フレームごとに各画素電極に印加する電圧の極性を反転する駆動モードである。したがって、第１駆動モードから第１極性反転パターン、第２極性反転パターンを経て第２駆動モードに切り替えられると、複数のゲート信号線ごとに極性が反転する際のゲート信号線の本数が段階的に減少するため、第１駆動モードから第２駆動モードに滑らかに切り替えることができる。
【００１９】
上記液晶表示装置において、前記制御部は、前記中間反転駆動モードにおいて、前記第１極性反転パターンを少なくとも２フレーム連続して使用し、前記第２極性反転パターンを少なくとも２フレーム連続して使用するとしてもよい。
【００２０】
この構成によれば、制御部により、中間反転駆動モードにおいて、第１極性反転パターンは、少なくとも２フレーム連続して使用され、第２極性反転パターンは、少なくとも２フレーム連続して使用される。第１駆動モードから第２駆動モードに切り替える際に、第１駆動モードの次のフレームで第１極性反転パターンを使用し、その次のフレームで第２極性反転パターンを使用した場合には、画素電極に対して３フレーム連続して同一極性の電圧が印加されることがあるため、制御が複雑になるおそれがある。しかし、上記構成によれば、第１駆動モードから第２駆動モードに切り替える際に、第１駆動モードの次のフレームで第１極性反転パターンを使用すると、その次のフレームでは第１極性反転パターンが使用される。また、第１極性反転パターンを使用したフレームの次のフレームで第２極性反転パターンが使用されると、その次のフレームでは第２極性反転パターンが使用される。したがって、画素電極に対して３フレーム連続して同一極性の電圧が印加されるのを防止することができる。
【００２１】
上記液晶表示装置において、前記液晶表示部は、第１フレーム及び第２フレームの順番で前記画像を表示し、前記第１フレームにおいて前記第１極性反転パターンが使用され、かつ前記第２フレームにおいて前記第２極性反転パターンが使用される場合には、前記第２フレームにおいて一のソース信号線に接続された画素電極に対してゲート信号線ごとに順番に電圧が印加される際に、印加電圧の極性が直前の画素電極から反転する画素電極は、極性が前記第１フレームから反転する第１画素電極と、極性が前記第１フレームと同じ第２画素電極と、を含み、前記制御部は、前記入力画像信号に応じて前記第１画素電極及び前記第２画素電極に印加する電圧を決定する決定部を含み、前記決定部は、前記第２フレームにおいて前記入力画像信号が前記第１画素電極及び前記第２画素電極に対して同一の電圧レベルを規定する場合に、前記第１画素電極に対して印加する電圧を、前記第２画素電極に対して印加する電圧に比べて高い電圧に決定するとしてもよい。
【００２２】
この構成によれば、液晶表示部は、第１フレーム及び第２フレームの順番で画像を表示する。第１フレームにおいて第１極性反転パターンが使用され、かつ第２フレームにおいて第２極性反転パターンが使用される場合には、第２フレームにおいて一のソース信号線に接続された画素電極に対してゲート信号線ごとに順番に電圧が印加される際に、印加電圧の極性が直前の画素電極から反転する画素電極は、極性が第１フレームから反転する第１画素電極と、極性が第１フレームと同じ第２画素電極と、を含む。制御部は、入力画像信号に応じて第１画素電極及び第２画素電極に印加する電圧を決定する決定部を含む。決定部は、第２フレームにおいて入力画像信号が第１画素電極及び第２画素電極に対して同一の電圧レベルを規定する場合に、第１画素電極に対して印加する電圧を、第２画素電極に対して印加する電圧に比べて高い電圧に決定する。
【００２３】
ここで、第１画素電極は、極性が第１フレームから反転しているため、極性が第１フレームと同じ第２画素電極に比べて、同じレベルの電圧を印加しても、極性が反転している分だけ、実際に画素電極に印加される電圧が低下する。しかし、上記構成では、入力画像信号が第１画素電極及び第２画素電極に対して同一の電圧レベルを規定する場合に、第１画素電極に対して印加する電圧が、第２画素電極に対して印加する電圧に比べて高い電圧に決定される。したがって、第１画素電極における実際に印加される電圧の低下分を補正することが可能になる。
【００２４】
上記液晶表示装置において、前記液晶表示部は、第１フレーム及び第２フレームの順番で前記画像を表示し、前記複数の画素電極は、前記第２フレームにおける印加電圧の極性が前記第１フレームと同じ同一電極と、前記第２フレームにおける印加電圧の極性が前記第１フレームから反転する反転電極と、を含み、前記制御部は、前記入力画像信号に応じて前記同一電極及び前記反転電極に印加する電圧を決定する電圧決定部を含み、前記電圧決定部は、前記第２フレームにおいて、前記入力画像信号が前記同一電極及び前記反転電極に対して同一の電圧レベルを規定する場合に、前記同一電極に対して印加する電圧を、前記反転電極に対して印加する電圧より低い電圧に決定するとしてもよい。
【００２５】
この構成によれば、液晶表示部は、第１フレーム及び第２フレームの順番で画像を表示する。複数の画素電極は、第２フレームにおける印加電圧の極性が第１フレームと同じ同一電極と、第２フレームにおける印加電圧の極性が第１フレームから反転する反転電極と、を含む。制御部は、入力画像信号に応じて同一電極及び反転電極に印加する電圧を決定する電圧決定部を含む。電圧決定部は、第２フレームにおいて、入力画像信号が同一電極及び反転電極に対して同一の電圧レベルを規定する場合に、同一電極に対して印加する電圧を、反転電極に対して印加する電圧より低い電圧に決定する。
【００２６】
ここで、同一電極では、極性が第１フレームと同じため、極性が第１フレームから反転している反転電極に比べて、同じレベルの電圧を印加しても、極性が反転していない分だけ、実際に画素電極に印加される電圧が増大する。しかし、上記構成では、入力画像信号が同一電極及び反転電極に対して同一の電圧レベルを規定する場合に、同一電極に対して印加する電圧が、反転電極に対して印加する電圧に比べて低い電圧に決定される。したがって、同一電極において実際に画素電極に印加される電圧が増大するのを抑制することが可能になる。
【００２７】
上記液晶表示装置において、前記第１駆動モード時のフレーム期間は前記中間反転駆動モード時のフレーム期間に比べて短いとしてもよい。
【００２８】
この構成によれば、第１駆動モード時のフレーム期間は中間反転駆動モード時のフレーム期間に比べて短い。したがって、中間反転駆動モード時のフレーム期間に比べて短いフレーム期間において、第１駆動モードにより駆動部を好適に制御することができる。
【００２９】
上記液晶表示装置において、前記制御部は、前記入力画像信号の特徴量に基づき、前記駆動モードを前記第１駆動モードと前記第２駆動モードとの間で切り替えるとしてもよい。
【００３０】
この構成によれば、制御部は、入力画像信号の特徴量に基づき、駆動モードを第１駆動モードと第２駆動モードとの間で切り替える。したがって、入力画像信号の特徴量に適切な駆動モードを用いることができる。
【００３１】
上記液晶表示装置において、前記特徴量は、前記液晶表示部に画像を表示する際のフレームレートであり、前記制御部は、前記フレームレートが基準値以上のときは前記駆動モードを前記第１駆動モードに切り替え、前記フレームレートが前記基準値未満のときは前記駆動モードを前記第２駆動モードに切り替えるとしてもよい。
【００３２】
この構成によれば、特徴量は、液晶表示部に画像を表示する際のフレームレートである。制御部は、フレームレートが基準値以上のときは駆動モードを第１駆動モードに切り替える。制御部は、フレームレートが基準値未満のときは駆動モードを第２駆動モードに切り替える。したがって、フレームレートに適切な駆動モードを用いることができる。
【００３３】
上記液晶表示装置において、前記特徴量は、前記液晶表示部に表示される画像内のオブジェクトの動き量であり、前記制御部は、前記動き量が閾値以上のときは前記駆動モードを前記第１駆動モードに切り替え、前記動き量が前記閾値未満のときは前記駆動モードを前記第２駆動モードに切り替えるとしてもよい。
【００３４】
この構成によれば、特徴量は、液晶表示部に表示される画像内のオブジェクトの動き量である。制御部は、動き量が閾値以上のときは駆動モードを第１駆動モードに切り替える。制御部は、動き量が閾値未満のときは駆動モードを第２駆動モードに切り替える。したがって、画像内のオブジェクトの動き量に適切な駆動モードを用いることができる。
【００３５】
上記液晶表示装置において、前記第１駆動モードはカラム反転駆動モードであり、前記第２駆動モードはドット反転駆動モードであり、前記カラム反転駆動モードは、一のソース信号線に接続された画素電極に同一極性の電圧を印加し、互いに隣接するソース信号線に接続された画素電極に印加する電圧の極性を反転し、かつ、フレームごとに各画素電極に印加する電圧の極性を反転する駆動モードであり、前記ドット反転駆動モードは、互いに隣接する画素電極に逆極性の電圧を印加し、かつ、フレームごとに各画素電極に印加する電圧の極性を反転する駆動モードであるとしてもよい。
【００３６】
この構成によれば、第１駆動モードはカラム反転駆動モードである。第２駆動モードはドット反転駆動モードである。カラム反転駆動モードは、一のソース信号線に接続された画素電極に同一極性の電圧を印加し、互いに隣接するソース信号線に接続された画素電極に印加する電圧の極性を反転し、かつ、フレームごとに各画素電極に印加する電圧の極性を反転する駆動モードである。ドット反転駆動モードは、互いに隣接する画素電極に逆極性の電圧を印加し、かつ、フレームごとに各画素電極に印加する電圧の極性を反転する駆動モードである。したがって、カラム反転駆動モードでは、一のソース信号線に接続された画素電極に同一極性の電圧が印加されるため、ドット反転駆動モードに比べて、高速に動作することができる。一方、ドット反転駆動モードでは、互いに隣接する画素電極に逆極性の電圧が印加されるため、カラム反転駆動モードに比べて、画素電極に対する極性反転がきめ細かく行われることから、画像の表示品位を向上することができる。
【発明の効果】
【００３７】
本発明によれば、複数の画素電極に対する電圧印加の駆動モードを、第１駆動モードと第２駆動モードとの間で、中間反転駆動モードを経て切り替えるため、第１駆動モードから直接第２駆動モードに、または第２駆動モードから直接第１駆動モードに、切り替わる場合に比べて、駆動モードを滑らかに切り替えることができる。その結果、駆動モードの切替え時に、液晶表示部に画像が連続的に表示されずに境界が生じて、画像の表示品位が過度に低下するのを抑制することができる。
【図面の簡単な説明】
【００３８】
【図１】本発明の一実施形態の液晶表示装置の構成を示すブロック図である。
【図２】図１に示される液晶表示パネルの信号線の接続状態を示す回路図である。
【図３】液晶表示パネルにおいて、あるフレームにおける各画素電極の印加電圧の極性を示す図であり、カラム反転駆動モードを示す。
【図４】液晶表示パネルにおいて、あるフレームにおける各画素電極の印加電圧の極性を示す図であり、ドット反転駆動モードを示す。
【図５】液晶表示パネルにおいて、あるフレームにおける各画素電極の印加電圧の極性を示す図であり、中間反転駆動モードを示す。
【図６】液晶表示パネルにおいて、あるフレームにおける各画素電極の印加電圧の極性を示す図であり、中間反転駆動モードを示す。
【図７】ソース信号線に接続された画素電極の画素に白画像が表示される場合のソース信号線への印加電圧を示す図であり、（ａ）は本実施形態における電圧レベルを示し、（ｂ）は比較例として入力画像信号の信号レベルに対応する電圧レベルを示す。
【図８】中間反転駆動モードにおいて異なる反転パターンが使用された場合に、ソース信号線に接続された画素電極の画素に白画像が表示される場合のソース信号線への印加電圧を示す図である。
【図９】駆動モードがカラム反転駆動モードから中間反転駆動モードに切り替えられた場合に、ソース信号線に接続された画素電極の画素に白画像が表示される場合のソース信号線への印加電圧を示す図であり、（ａ）は本実施形態における電圧レベルを示し、（ｂ）は比較例として入力画像信号の信号レベルに対応する電圧レベルを示す。
【図１０】駆動モードが中間反転駆動モードからドット反転駆動モードに切り替えられた場合に、ソース信号線Ｓ１に接続された画素電極の画素に白画像が表示される場合のソース信号線への印加電圧を示す図であり、（ａ）は本実施形態における電圧レベルを示し、（ｂ）は比較例として入力画像信号の信号レベルに対応する電圧レベルを示す。
【図１１】駆動モードの移行過程を模式的に示すタイミングチャートである。
【図１２】（ａ）（ｂ）は、カラム反転駆動モードにおける各画素電極の印加電圧の極性を模式的に示す図である。
【図１３】（ａ）（ｂ）は、中間反転駆動モードにおける各画素電極の印加電圧の極性を模式的に示す図である。
【図１４】（ａ）（ｂ）は、中間反転駆動モードにおける各画素電極の印加電圧の極性を模式的に示す図である。
【図１５】（ａ）（ｂ）は、ドット反転駆動モードにおける各画素電極の印加電圧の極性を模式的に示す図である。
【図１６】駆動モードの移行過程の別の実施形態を模式的に示すタイミングチャートである。
【図１７】カラム反転駆動モードにおける各画素電極の印加電圧の極性を模式的に示す図である。
【図１８】中間反転駆動モードにおける各画素電極の印加電圧の極性を模式的に示す図である。
【図１９】中間反転駆動モードにおける各画素電極の印加電圧の極性を模式的に示す図である。
【図２０】ドット反転駆動モードにおける各画素電極の印加電圧の極性を模式的に示す図である。
【発明を実施するための形態】
【００３９】
図１は、本発明の一実施形態の液晶表示装置の構成を示すブロック図である。図２は、図１に示される液晶表示パネルの信号線の接続状態を示す回路図である。図１に示されるように、液晶表示装置１は、制御部１１と、液晶表示パネル１２と、ゲート駆動部１３と、ソース駆動部１４とを備える。
【００４０】
液晶表示パネル１２は、図２に示されるように、複数のソース信号線Ｓ１，Ｓ２，・・・，Ｓｍ、複数のゲート信号線Ｇ１，Ｇ２，・・・，Ｇｎ、複数の薄膜トランジスタＱ及び複数の画素電極Ｒ，Ｇ，Ｂ（つまり赤色の画素電極Ｒ、緑色の画素電極Ｇ及び青色の画素電極Ｂ）を備える。複数のソース信号線Ｓ１，Ｓ２，・・・，Ｓｍは、それぞれ縦方向（副走査方向）に延びており、横方向（主走査方向）に並んで設けられている。複数のゲート信号線Ｇ１，Ｇ２，・・・，Ｇｎは、それぞれ横方向（主走査方向）に延びており、縦方向（副走査方向）に並んで設けられている。複数のソース信号線Ｓ１，Ｓ２，・・・，Ｓｍ及び複数のゲート信号線Ｇ１，Ｇ２，・・・，Ｇｎの交点に、マトリクス状に複数の薄膜トランジスタＱ及び複数の画素電極Ｒ，Ｇ，Ｂが配置されている。
【００４１】
制御部１１は、ゲート駆動部１３及びソース駆動部１４を制御して、液晶表示パネル１２のマトリクス状に配置された画素電極に対して１フレームごとに、入力画像信号に対応する電圧を１回印加する。つまり、制御部１１は、液晶表示パネル１２のマトリクス状に配置された画素電極の画素に対して１フレームごとに画像データを１回書き込む。制御部１１は、ゲート駆動部１３にゲート駆動信号を出力する。ゲート駆動部１３は、ゲート駆動信号に基づき走査電圧を印加して、ゲート信号線Ｇ１，Ｇ２，・・・，Ｇｎを上から下に向かって順番に選択して、対応するゲート信号線Ｇ１，Ｇ２，・・・，Ｇｎの薄膜トランジスタＱをオンにする。
【００４２】
制御部１１は、ソース駆動部１４に画像制御信号を出力して、ソース駆動部１４を制御する。ソース駆動部１４は、ゲート駆動部１３により選択されている（つまり薄膜トランジスタＱがオンにされている）ゲート信号線Ｇ１，Ｇ２，・・・，Ｇｎに対応する画素電極Ｒ，Ｇ，Ｂに、ソース信号線Ｓ１，Ｓ２，・・・，Ｓｍを介して画像データに対応する電圧を印加する。これによって、画素電極Ｒ，Ｇ，Ｂの液晶層に画像データに対応する電圧が印加されて、画素電極Ｒ，Ｇ，Ｂの液晶層の透過率が制御される。
【００４３】
ゲート駆動部１３によるゲート信号線Ｇ１，Ｇ２，・・・，Ｇｎの選択が上から下まで完了することによって、入力画像信号に基づき画像データが１回全画素に対して書き込まれる。全画素に対する画像データの書込みによって、１フレームの画像が生成される。液晶表示パネル１２は、その書き込まれた画像データを次の画像データの書込みまで１フレーム期間、保持するホールド型の表示部である。
【００４４】
制御部１１により、１フレームの画像生成が所定のフレーム周波数で繰り返されることによって、液晶表示パネル１２に表示される画像が視聴者によって視認される。なお、液晶表示パネル１２としては、ＩＰＳ（Ｉｎ  Ｐｌａｎｅ  Ｓｗｉｔｃｈｉｎｇ）方式、ＶＡ（Ｖｅｒｔｉｃａｌ  Ａｌｉｇｎｍｅｎｔ）方式、その他のいずれの方式を適用してもよい。
【００４５】
図３乃至図６は、液晶表示パネル１２において、あるフレームにおける各画素電極の印加電圧の極性を示す図である。図３はカラム反転駆動モードを示す。図４はドット反転駆動モードを示す。図５、図６は、中間反転駆動モードを示す。なお、以下では、説明の簡単化のために、図３乃至図６に示されるように、ソース信号線の本数をｍ＝８とし、ゲート信号線の本数をｎ＝８としている。
【００４６】
一般に、液晶表示パネルにおいて、液晶を駆動するために直流の駆動電圧を画素電極に印加すると、液晶が劣化して寿命が短くなり、その結果、表示品位が低下することが知られている。そこで、本実施形態の液晶表示パネル１２では、画素電極に印加する電圧の極性をフレームごとに反転させる交流電圧駆動が行われている。さらに、本実施形態の液晶表示パネル１２では、画素電極に対する電圧印加の駆動モードとして、カラム反転駆動モードと、ドット反転駆動モードと、中間反転駆動モードとが用いられる。
【００４７】
カラム反転駆動モードは、図３に示されるように、各フレームにおいて同一のソース信号線に接続された画素電極に同一極性の電圧を印加し、互いに隣接するソース信号線に接続された画素電極に印加する電圧の極性を反転し、かつ、フレームごとに各画素電極に印加する電圧の極性を反転する駆動モードである。すなわち、カラム反転駆動モードでは、図３に示される極性状態と、図３の各極性を反転した極性状態とが、フレームごとに交互に繰り返される。
【００４８】
ドット反転駆動モードは、図４に示されるように、各フレームにおいて互いに隣接する画素電極に逆極性の電圧を印加し、かつ、フレームごとに各画素電極に印加する電圧の極性を反転する駆動モードである。すなわち、ドット反転駆動モードでは、図４に示される極性状態と、図４の各極性を反転した極性状態とが、フレームごとに交互に繰り返される。なお、以下では、例えば図３において、「ソース信号線Ｓ１に接続された画素電極への印加電圧の極性」を簡略化して「ソース信号線Ｓ１への印加電圧の極性」とも言う。
【００４９】
カラム反転駆動モードでは、あるフレームにおいて、例えば図３に示されるように、ソース信号線Ｓ１への印加電圧の極性が「＋」にされている場合には、ソース信号線Ｓ２への印加電圧の極性は「−」にされ、ソース信号線Ｓ３への印加電圧の極性は「＋」にされる。また、図３に示されるフレームの次のフレームでは、ソース信号線Ｓ１への印加電圧の極性が「−」にされ、ソース信号線Ｓ２への印加電圧の極性は「＋」にされ、ソース信号線Ｓ３への印加電圧の極性は「−」にされる。
【００５０】
また、例えば図３に示されるフレームにおいて、ソース信号線Ｓ１への印加電圧は同一の「＋」極性にされる。したがって、液晶表示パネル１２の全面に白画像が表示される場合には、選択されるゲート信号線Ｇ１，Ｇ２，・・・が変化しても、同一極性で同一レベルの電圧が印加されることになる。このため、ソース信号線において充放電が起こらないことから、ソース駆動部１４からソース信号線への電流供給が抑制される。その結果、ソース駆動部１４における電力消費量が低減される。一方、ドット反転駆動モードでは、あるフレームにおいて、例えば図４に示されるように、ゲート信号線に沿った方向及びソース信号線に沿った方向の両方向において、互いに隣接する画素電極への印加電圧の極性が反転されている。
【００５１】
したがって、カラム反転駆動モードでは、ドット反転駆動モードに比べて印加電圧に対する応答性が良好になるため、短い時間で画素に画像データを書き込むことができる。一方、ドット反転駆動モードでは、カラム反転駆動モードに比べてクロストークやフリッカの性能で優れている。
【００５２】
制御部１１は、検出部２１と決定部２２とを備える。検出部２１は、入力画像信号の特徴量として、液晶表示パネル１２に画像を表示する際のフレームレートを検出する。決定部２２は、入力画像信号の信号レベルと画素電極への印加電圧の極性とに基づき、当該画素電極に印加する電圧レベルを決定する。制御部１１は、検出部２１により検出されたフレームレートに基づき、駆動モードを切り替える。制御部１１は、決定部２２により決定された電圧レベルに基づき、画像制御信号を生成し、生成した画像制御信号をソース駆動部１４に出力する。
【００５３】
具体的には、制御部１１は、検出部２１により検出されたフレームレートが基準値（本実施形態では例えば６０Ｈｚ）以上の場合には、駆動モードをカラム反転駆動モードに切り替える。制御部１１は、検出部２１により検出されたフレームレートが基準値未満の場合には、駆動モードをドット反転駆動モードに切り替える。
【００５４】
すなわち、制御部１１は、入力画像信号のフレームレートが例えば６０Ｈｚから３０Ｈｚに切り替えられると、駆動モードをカラム反転駆動モードからドット反転駆動モードに切り替える。また、制御部１１は、入力画像信号のフレームレートが例えば３０Ｈｚから６０Ｈｚに切り替えられると、駆動モードをドット反転駆動モードからカラム反転駆動モードに切り替える。
【００５５】
なお、検出部２１は、入力画像信号の特徴量として、フレームレートに代えて、またはフレームレートに加えて、液晶表示パネル１２に表示される画像内のオブジェクトの動き量を検出するようにしてもよい。そして、制御部１１は、検出部２１により検出された動き量が閾値（本実施形態では例えば時間的に隣接するフレーム間で１０画素）以上の場合には、駆動モードをカラム反転駆動モードに切り替え、検出部２１により検出された動き量が閾値未満の場合には、駆動モードをドット反転駆動モードに切り替えるようにしてもよい。
【００５６】
制御部１１は、画素電極に対する電圧印加の駆動モードを、カラム反転駆動モードとドット反転駆動モードとの間で切り替える際に、中間反転駆動モードを経て切り替えるように、ゲート駆動部１３及びソース駆動部１４を制御する。すなわち、制御部１１は、カラム反転駆動モードからドット反転駆動モードに直接切り替えたり、ドット反転駆動モードからカラム反転駆動モードに直接切り替えたりはしない。
【００５７】
中間反転駆動モードは、図５、図６に示されるように、一のソース信号線に接続された画素電極に印加する電圧の極性を複数のゲート信号線ごとに反転させ、互いに隣接するソース信号線に接続され同一のゲート信号線に接続された画素電極に印加する電圧の極性を反転させる駆動モードである。つまり、中間反転駆動モードでは、印加電圧の極性状態が、カラム反転駆動モードとドット反転駆動モードとの中間の極性状態になっている。
【００５８】
制御部１１は、駆動モードをカラム反転駆動モードからドット反転駆動モードに切り替える際に、中間反転駆動モードでは、図２に示されるようにｎ本のゲート信号線を有する場合に、まず、（ｎ／２）本のゲート信号線ごとに印加電圧の極性が反転する反転パターンを使用し、次に、（ｎ／２２）本のゲート信号線ごとに印加電圧の極性が反転する反転パターンを使用し、さらに次に（ｎ／２３）本のゲート信号線ごとに印加電圧の極性が反転する反転パターンを使用する。
【００５９】
このように、制御部１１は、本実施形態では、カラム反転駆動モードからドット反転駆動モードに切り替える際に、中間反転駆動モードにおいて、極性が反転するゲート信号線の本数を１／２ずつ減少させた反転パターンを順に使用する。そして、制御部１１は、中間反転駆動モードの最後に、２本のゲート信号線ごとに印加電圧の極性が反転する反転パターンを使用した後、駆動モードをドット反転駆動モードに切り替える。また、制御部１１は、中間反転駆動モードにおいて、同一の反転パターンを少なくとも２フレーム連続して使用する。なお、制御部１１は、ドット反転駆動モードからカラム反転駆動モードに切り替える際には、中間反転駆動モードにおいて、極性が反転するゲート信号線の本数を２倍ずつ増大させた反転パターンを順に使用する。
【００６０】
図５に示される中間反転駆動モードでは、一のソース信号線に接続された画素電極に印加する電圧の極性を、１回反転させている。言い換えると、図５に示される中間反転駆動モードでは、４本のゲート信号線ごとに印加電圧の極性が反転する反転パターンになっている。図６に示される中間反転駆動モードでは、一のソース信号線に接続された画素電極に印加する電圧の極性を、３回反転させている。言い換えると、図６に示される中間反転駆動モードでは、２本のゲート信号線ごとに印加電圧の極性が反転する反転パターンになっている。
【００６１】
制御部１１は、ゲート信号線の本数がｎ＝８の場合には、図３に示されるカラム反転駆動モードから図４に示されるドット反転駆動モードに切り替える際に、中間反転駆動モードでは、図５に示される反転パターンを少なくとも２フレーム連続して使用した後で、図６に示される反転パターンを少なくとも２フレーム連続して使用する。本実施形態において、カラム反転駆動モードは第１駆動モードの一例に相当し、ドット反転駆動モードは第２駆動モードの一例に相当し、図５に示される中間反転駆動モードの反転パターンは第１極性反転パターンの一例に相当し、図６に示される中間反転駆動モードの反転パターンは第２極性反転パターンの一例に相当する。
【００６２】
次に、中間反転駆動モードにおいて異なる反転パターンが使用される場合や、駆動モードが切り替えられる場合において、制御部１１の決定部２２により決定される電圧レベルの例が説明される。
【００６３】
図７はソース信号線Ｓ１に接続された画素電極の画素に白画像が表示される場合のソース信号線Ｓ１への印加電圧を示す図である。図７（ａ）は本実施形態における電圧レベルを示す。図７（ｂ）は比較例として入力画像信号の信号レベルに対応する電圧レベルを示す。図５乃至図７を用いて、中間反転駆動モードにおいて、図５に示される反転パターンが使用されたフレーム（以下、図５乃至図７を用いた説明において「第１フレーム」と言う）の次のフレーム（以下、図５乃至図７を用いた説明において「第２フレーム」と言う）において、図６に示される反転パターンが使用される場合に、決定部２２により決定される電圧レベルが説明される。
【００６４】
第１フレームでは、ソース信号線Ｓ１に接続された画素電極への印加電圧の極性は、図５に示されるように、ゲート信号線Ｇ１〜Ｇ８の順に「＋、＋、＋、＋、−、−、−、−」となる。これに対して、次の第２フレームでは、図６に示されるように、ソース信号線Ｓ１に接続された画素電極への印加電圧の極性は、ゲート信号線Ｇ１〜Ｇ８の順に「＋、＋、−、−、＋、＋、−、−」となる。
【００６５】
したがって、ソース信号線Ｓ１に接続された画素電極のうちで、ゲート信号線Ｇ１，Ｇ２，Ｇ７，Ｇ８に接続された画素電極への印加電圧の極性は、第２フレームでは第１フレームと同一極性である。一方、ソース信号線Ｓ１に接続された画素電極のうちで、ゲート信号線Ｇ３，Ｇ４，Ｇ５，Ｇ６に接続された画素電極への印加電圧の極性は、第２フレームでは第１フレームから反転する。
【００６６】
第１フレームにおける印加電圧の極性に対して、第２フレームにおける印加電圧の極性が反転する画素電極では、極性が反転せずに同一の画素電極に比べて、印加電圧に対する応答性が低下する。
【００６７】
このため、第２フレームにおいて、図７（ｂ）に示されるように、入力画像信号の信号レベルに対応する同じ電圧Ｖ１をそれぞれ印加すると、ゲート信号線Ｇ１，Ｇ２，Ｇ７，Ｇ８に接続された画素電極の画素に比べて、ゲート信号線Ｇ３，Ｇ４，Ｇ５，Ｇ６に接続された画素電極の画素の輝度が低下する。
【００６８】
そこで、決定部２２は、第２フレームにおいて、入力画像信号が、ゲート信号線Ｇ１〜Ｇ８に接続された画素電極で同一の電圧レベル（図７では白画像）を規定する場合に、図７（ａ）に示されるように、ゲート信号線Ｇ１，Ｇ２，Ｇ７，Ｇ８に接続された画素電極に対する印加電圧Ｖ２を、ゲート信号線Ｇ３，Ｇ４，Ｇ５，Ｇ６に接続された画素電極に対する印加電圧Ｖ１より低い電圧に決定する。すなわち、決定部２２は、Ｖ１＞Ｖ２に決定する。これによって、ゲート信号線Ｇ１〜Ｇ８に接続された画素電極の画素の輝度をほぼ同一レベルにすることができる。図７に示される場合において、ゲート信号線Ｇ１，Ｇ２，Ｇ７，Ｇ８に接続された画素電極は、同一電極の一例に相当し、ゲート信号線Ｇ３，Ｇ４，Ｇ５，Ｇ６に接続された画素電極は、反転電極の一例に相当し、決定部２２は、電圧決定部の一例に相当する。
【００６９】
図８は、中間反転駆動モードにおいて異なる反転パターンが使用された場合に、ソース信号線Ｓ１に接続された画素電極の画素に白画像が表示される場合のソース信号線への印加電圧を示す図である。図５、図６、図８を用いて、中間反転駆動モードにおいて、図５に示される反転パターンが使用されたフレーム（以下、図５、図６、図８を用いた説明において「第１フレーム」と言う）の次のフレーム（以下、図５、図６、図８を用いた説明において「第２フレーム」と言う）において、図６に示される反転パターンが使用される場合に、決定部２２により決定される電圧レベルが説明される。
【００７０】
ソース信号線Ｓ１に接続された画素電極に対し、ゲート信号線Ｇ１〜Ｇ８の順で、電圧が印加される。このとき、第２フレームでは、図６に示されるように、ゲート信号線Ｇ２，Ｇ４，Ｇ６，Ｇ８に接続された画素電極への印加電圧の極性は、それぞれ、直前に電圧が印加されるゲート信号線Ｇ１，Ｇ３，Ｇ５，Ｇ７に接続された画素電極への印加電圧の極性と同じである。
【００７１】
これに対して、ゲート信号線Ｇ３，Ｇ５，Ｇ７に接続された画素電極への印加電圧の極性は、それぞれ、直前に電圧が印加されるゲート信号線Ｇ２，Ｇ４，Ｇ６に接続された画素電極への印加電圧の極性から反転している。また、第２フレーム（図６）でゲート信号線Ｇ１に接続された画素電極への印加電圧の極性（正）は、直前の第１フレーム（図５）で最後に電圧が印加されたゲート信号線Ｇ８に接続された画素電極への印加電圧の極性（負）から反転している。
【００７２】
したがって、直前と同じ極性の電圧が印加されるゲート信号線Ｇ２，Ｇ４，Ｇ６，Ｇ８に接続された画素電極の場合に比べて、ゲート信号線Ｇ１，Ｇ３，Ｇ５，Ｇ７に接続された画素電極では、印加電圧に対する応答性が低下する。
【００７３】
ここで、ゲート信号線Ｇ１，Ｇ３，Ｇ５，Ｇ７に接続された画素電極は、さらに、印加電圧に対する応答性の低下度合が異なる画素電極を含む。すなわち、第２フレーム（図６）におけるゲート信号線Ｇ３，Ｇ５に接続された画素電極への印加電圧の極性は、直前の第１フレーム（図５）における極性から反転する。一方、第２フレーム（図６）におけるゲート信号線Ｇ１，Ｇ７に接続された画素電極への印加電圧の極性は、直前の第１フレーム（図５）における極性と同じである。したがって、ゲート信号線Ｇ３，Ｇ５に接続された画素電極への印加電圧に対する応答性は、ゲート信号線Ｇ１，Ｇ７に接続された画素電極への印加電圧に対する応答性に比べて、低下する。
【００７４】
このため、第２フレームにおいて、図７（ｂ）に示されるように、入力画像信号の信号レベルに対応する同じ電圧Ｖ１を印加すると、上述のように、ゲート信号線Ｇ２，Ｇ４，Ｇ６，Ｇ８に接続された画素電極の画素に比べて、ゲート信号線Ｇ１，Ｇ３，Ｇ５，Ｇ７に接続された画素電極の画素の輝度が低下する。さらに、ゲート信号線Ｇ１，Ｇ７に接続された画素電極の画素に比べて、ゲート信号線Ｇ３，Ｇ５に接続された画素電極の画素の輝度が低下する。
【００７５】
そこで、決定部２２は、第２フレームにおいて、入力画像信号が、ゲート信号線Ｇ１〜Ｇ８に接続された画素電極で同一の電圧レベル（図８では白画像）を規定する場合に、図８に示されるように、ゲート信号線Ｇ２，Ｇ４，Ｇ６，Ｇ８に接続された画素電極に対する印加電圧Ｖ４に比べて、ゲート信号線Ｇ１，Ｇ７に接続された画素電極に対する印加電圧Ｖ３を高い電圧に決定し、さらに、印加電圧Ｖ３に比べて、ゲート信号線Ｇ３，Ｇ５に接続された画素電極に対する印加電圧Ｖ１を高い電圧に決定する。すなわち、決定部２２は、Ｖ１＞Ｖ３＞Ｖ４に決定する。これによって、ゲート信号線Ｇ１〜Ｇ８に接続された各画素電極の画素の輝度をほぼ同一レベルにすることができる。図８に示される場合において、ゲート信号線Ｇ３，Ｇ５に接続された画素電極は、第１画素電極の一例に相当し、ゲート信号線Ｇ１，Ｇ７に接続された画素電極は、第２画素電極の一例に相当する。
【００７６】
図９は、駆動モードがカラム反転駆動モードから中間反転駆動モードに切り替えられた場合に、ソース信号線Ｓ１に接続された画素電極の画素に白画像が表示される場合のソース信号線への印加電圧を示す図である。図９（ａ）は本実施形態における電圧レベルを示す。図９（ｂ）は比較例として入力画像信号の信号レベルに対応する電圧レベルを示す。図３、図５、図９を用いて、図３に示されるカラム反転駆動モードが使用されたフレーム（以下、図３、図５、図９を用いた説明において「第１フレーム」と言う）の次のフレーム（以下、図３、図５、図９を用いた説明において「第２フレーム」と言う）において、中間反転駆動モードとして図５に示される反転パターンが使用される場合に、決定部２２により決定される電圧レベルが説明される。
【００７７】
第１フレームでは、ソース信号線Ｓ１に接続された画素電極への印加電圧の極性は、図３に示されるように、ゲート信号線Ｇ１〜Ｇ８の順に全て「＋」となる。これに対して、次の第２フレームでは、ソース信号線Ｓ１に接続された画素電極への印加電圧の極性は、図５に示されるように、ゲート信号線Ｇ１〜Ｇ８の順に「＋、＋、＋、＋、−、−、−、−」となる。
【００７８】
したがって、ソース信号線Ｓ１に接続された画素電極のうちで、第２フレーム（図５）におけるゲート信号線Ｇ１〜Ｇ４に接続された画素電極への印加電圧の極性は、直前の第１フレーム（図３）における極性と同じである。一方、第２フレーム（図５）におけるゲート信号線Ｇ５〜Ｇ８に接続された画素電極への印加電圧の極性は、直前の第１フレーム（図３）における極性から反転する。
【００７９】
第１フレームにおける印加電圧の極性に対して、第２フレームにおける印加電圧の極性が反転する画素電極では、極性が反転せずに同一の画素電極に比べて、印加電圧に対する応答性が低下する。
【００８０】
このため、第２フレームにおいて、図９（ｂ）に示されるように、入力画像信号の信号レベルに対応する同じ電圧Ｖ１をそれぞれ印加すると、ゲート信号線Ｇ１〜Ｇ４に接続された画素電極の画素に比べて、ゲート信号線Ｇ５〜Ｇ８に接続された画素電極の画素の輝度が低下する。
【００８１】
そこで、決定部２２は、第２フレームにおいて、入力画像信号が、ゲート信号線Ｇ１〜Ｇ８に接続された各画素電極に対し同一の電圧レベル（図９では白画像）を規定する場合に、図９（ａ）に示されるように、ゲート信号線Ｇ１〜Ｇ４に接続された画素電極に対して印加する電圧Ｖ５を、ゲート信号線Ｇ５〜Ｇ８に接続された画素電極に対して印加する電圧Ｖ１より低い電圧に決定する。すなわち、決定部２２は、Ｖ１＞Ｖ５に決定する。これによって、ゲート信号線Ｇ１〜Ｇ８に接続された画素電極の画素の輝度をほぼ同一レベルにすることができる。図９に示される場合において、ゲート信号線Ｇ１〜Ｇ４に接続された画素電極は、同一電極の一例に相当し、ゲート信号線Ｇ５〜Ｇ８に接続された画素電極は、反転電極の一例に相当し、決定部２２は、電圧決定部の一例に相当する。
【００８２】
図１０は、駆動モードが中間反転駆動モードからドット反転駆動モードに切り替えられた場合に、ソース信号線Ｓ１に接続された画素電極の画素に白画像が表示される場合のソース信号線への印加電圧を示す図である。図１０（ａ）は本実施形態における電圧レベルを示す。図１０（ｂ）は比較例として入力画像信号の信号レベルに対応する電圧レベルを示す。図４、図６、図１０を用いて、中間反転駆動モードとして図６に示される反転パターンが使用されたフレーム（以下、図４、図６、図１０を用いた説明において「第１フレーム」と言う）の次のフレーム（以下、図４、図６、図１０を用いた説明において「第２フレーム」と言う）において、図４に示されるドット反転駆動モードに切り替えられた場合に、決定部２２により決定される電圧レベルが説明される。
【００８３】
第１フレームでは、図６に示されるように、ソース信号線Ｓ１に接続された画素電極への印加電圧の極性は、ゲート信号線Ｇ１〜Ｇ８の順に、「＋、＋、−、−、＋、＋、−、−」となる。これに対して、次の第２フレームでは、図４に示されるように、ソース信号線Ｓ１に接続された画素電極への印加電圧の極性は、ゲート信号線Ｇ１〜Ｇ８の順に、「＋、−、＋、−、＋、−、＋、−」となる。
【００８４】
したがって、ソース信号線Ｓ１に接続された画素電極のうちで、第２フレーム（図４）におけるゲート信号線Ｇ１，Ｇ４，Ｇ５，Ｇ８に接続された画素電極への印加電圧の極性は、直前の第１フレーム（図６）における極性と同じである。一方、第２フレーム（図４）におけるゲート信号線Ｇ２，Ｇ３，Ｇ６，Ｇ７に接続された画素電極への印加電圧の極性は、直前の第１フレーム（図６）における極性から反転する。
【００８５】
第１フレームにおける印加電圧の極性に対して、第２フレームにおける印加電圧の極性が反転する画素電極では、極性が反転せずに同一の画素電極に比べて、印加電圧に対する応答性が低下する。
【００８６】
このため、第２フレームにおいて、図１０（ｂ）に示されるように、入力画像信号の信号レベルに対応する同じ電圧Ｖ１をそれぞれ印加すると、ゲート信号線Ｇ１，Ｇ４，Ｇ５，Ｇ８に接続された画素電極の画素に比べて、ゲート信号線Ｇ２，Ｇ３，Ｇ６，Ｇ７に接続された画素電極の画素の輝度が低下する。
【００８７】
そこで、決定部２２は、第２フレームにおいて、入力画像信号が、ゲート信号線Ｇ１〜Ｇ８に接続された各画素電極に対し同一の電圧レベルを規定する場合（図１０では白画像）に、図１０（ａ）に示されるように、ゲート信号線Ｇ１，Ｇ４，Ｇ５，Ｇ８に接続された画素電極に対する印加電圧Ｖ６を、ゲート信号線Ｇ２，Ｇ３，Ｇ６，Ｇ７に接続された画素電極に対する印加電圧Ｖ１より低い電圧に決定する。すなわち、決定部２２は、Ｖ１＞Ｖ６に決定する。これによって、ゲート信号線Ｇ１〜Ｇ８に接続された画素電極の画素の輝度をほぼ同一レベルにすることができる。図１０に示される場合において、ゲート信号線Ｇ１，Ｇ４，Ｇ５，Ｇ８に接続された画素電極は、同一電極の一例に相当し、ゲート信号線Ｇ２，Ｇ３，Ｇ６，Ｇ７に接続された画素電極は、反転電極の一例に相当し、決定部２２は、電圧決定部の一例に相当する。
【００８８】
以上説明されたように、本実施形態では、制御部１１は、画素電極に対する電圧印加の駆動モードを、カラム反転駆動モードとドット反転駆動モードとの間で、中間反転駆動モードを経て切り替える。中間反転駆動モードは、一のソース信号線に接続された画素電極に印加する電圧の極性を複数のゲート信号線ごとに反転させ、互いに隣接するソース信号線に接続され同一のゲート信号線に接続された画素電極に印加する電圧の極性を反転させる駆動モードである。つまり、中間反転駆動モードでは、印加電圧の極性状態が、カラム反転駆動モードとドット反転駆動モードとの中間の極性状態になっている。
【００８９】
したがって、カラム反転駆動モードから直接ドット反転駆動モードに、またはドット反転駆動モードから直接カラム反転駆動モードに、切り替わる場合に比べて、駆動モードを滑らかに切り替えることができる。このため、本実施形態によれば、駆動モードの切替え時に、液晶表示パネル１２に表示される画像が連続的にならずに境界が生じて、画像品位が過度に低下するのを抑制することができる。
【００９０】
また、本実施形態では、駆動モードの切替え時（つまりカラム反転駆動モードと中間反転駆動モードとの間での切替え時、及び、ドット反転駆動モードと中間反転駆動モードとの間での切替え時）において、決定部２２は、入力画像信号の信号レベルが同じ場合に、連続する２フレーム間で印加電圧の極性が同じ画素電極に対する印加電圧のレベルを、連続する２フレーム間で印加電圧の極性が反転する画素電極に対する印加電圧のレベルに比べて、低いレベルに決定している。また、中間反転駆動モードにおける反転パターンの切替え時において、同様に、決定部２２は、入力画像信号の信号レベルが同じ場合に、連続する２フレーム間で印加電圧の極性が同じ画素電極に対する印加電圧のレベルを、連続する２フレーム間で印加電圧の極性が反転する画素電極に対する印加電圧のレベルに比べて、低いレベルに決定している。連続する２フレーム間で印加電圧の極性が同じ場合に比べて、反転する場合は印加電圧に対する応答性が低下するが、本実施形態では、入力画像信号の信号レベルが同じ場合に、各画素の輝度をほぼ同じレベルにすることができる。
【００９１】
図１１は、上記実施形態における駆動モードの移行過程を模式的に示すタイミングチャートである。図１２（ａ）（ｂ）は、カラム反転駆動モードにおける各画素電極の印加電圧の極性を模式的に示す図である。図１３（ａ）（ｂ）は、中間反転駆動モードにおける各画素電極の印加電圧の極性を模式的に示す図である。図１３（ａ）（ｂ）の中間反転駆動モードでは、４本のゲート信号線ごとに印加電圧の極性が反転する反転パターンになっている。図１４（ａ）（ｂ）は、中間反転駆動モードにおける各画素電極の印加電圧の極性を模式的に示す図である。図１４（ａ）（ｂ）の中間反転駆動モードでは、２本のゲート信号線ごとに印加電圧の極性が反転する反転パターンになっている。図１５（ａ）（ｂ）は、ドット反転駆動モードにおける各画素電極の印加電圧の極性を模式的に示す図である。図１２（ｂ）〜図１５（ｂ）の極性は、それぞれ、図１２（ａ）〜図１５（ａ）の極性に対して反転された状態を示している。図１、図１１乃至図１５を用いて、上記実施形態における駆動モードの具体的な切替え動作が説明される。
【００９２】
図１１において、フレームＦ１〜Ｆ６では、フレームレートが６０Ｈｚになっている。このため、制御部１１は、駆動モードを図１２（ａ）（ｂ）に示されるカラム反転駆動モードとする。すなわち、制御部１１は、図１２（ａ）に示される極性状態と図１２（ｂ）に示される極性状態とを交互に使用する。例えばフレームＦ１，Ｆ３，Ｆ５では、図１２（ａ）に示される極性状態になり、フレームＦ２，Ｆ４，Ｆ６では、図１２（ｂ）に示される極性状態になる。
【００９３】
フレームＦ７では、フレームレートが３０Ｈｚに切り替えられる。このため、制御部１１は、駆動モードを中間反転駆動モードに切り替える。ここでは、ゲート信号線の本数ｎ＝８としている。よって、（ｎ／２）＝４となる。そこで、制御部１１は、中間反転駆動モードとして、まず、４本のゲート信号線ごとに印加電圧の極性が反転する図１３（ａ）（ｂ）に示される反転パターンを使用する。つまり、図１１において、反転ライン数が８（カラム反転）から４に減少する。また、制御部１１は、２フレーム連続して同じ反転パターンを使用する。そこで、例えばフレームＦ７では、図１３（ａ）に示される極性状態になり、フレームＦ８では、図１３（ｂ）に示される極性状態になる。
【００９４】
次に、フレームＦ９では、制御部１１は、中間反転駆動モードの反転パターンを切り替える。ここで、ｎ＝８であるため、（ｎ／２２）＝２となる。そこで、制御部１１は、中間反転駆動モードとして、次に、２本のゲート信号線ごとに印加電圧の極性が反転する図１４（ａ）（ｂ）に示される反転パターンを使用する。つまり、図１１において、反転ライン数が４から２に減少する。また、制御部１１は、同様に、２フレーム連続して同じ反転パターンを使用する。そこで、例えばフレームＦ９では、図１４（ａ）に示される極性状態になり、フレームＦ１０では、図１４（ｂ）に示される極性状態になる。なお、図１１に示されるように、カラム反転駆動モード時のフレーム期間（つまりフレームＦ１〜Ｆ６のフレーム期間）は、中間反転駆動モード時のフレーム期間（つまりフレームＦ７〜Ｆ１０のフレーム期間）に比べて短くなっている。
【００９５】
次に、フレームＦ１１では、制御部１１は、中間反転駆動モードの反転パターンを切り替える。ここで、ｎ＝８であるため、（ｎ／２３）＝１となる。そこで、制御部１１は、中間反転駆動モードから図１５（ａ）（ｂ）に示されるドット反転駆動モードに切り替える。つまり、図１１において、反転ライン数が２から１（ドット反転）に減少する。そこで、例えばフレームＦ１１では、図１５（ａ）に示される極性状態になり、フレームＦ１２では、図１５（ｂ）に示される極性状態になる。
【００９６】
なお、上記実施形態では、制御部１１は、中間反転駆動モードにおいて、同じ反転パターンを２フレーム連続して使用しているが、３フレーム以上連続して使用してもよい。すなわち、制御部１１は、中間反転駆動モードにおいて、同じ反転パターンを少なくとも２フレーム連続して使用してもよい。なお、別の実施形態として、次に説明されるように、制御部１１は、中間反転駆動モードにおいて、１フレームごとに反転パターンを切り替えるようにしてもよい。
【００９７】
図１６は、駆動モードの移行過程の別の実施形態を模式的に示すタイミングチャートである。図１７は、カラム反転駆動モードにおける各画素電極の印加電圧の極性を模式的に示す図である。図１８、図１９は、中間反転駆動モードにおける各画素電極の印加電圧の極性を模式的に示す図である。図１８の中間反転駆動モードでは、４本のゲート信号線ごとに印加電圧の極性が反転する反転パターンになっている。図１９の中間反転駆動モードでは、２本のゲート信号線ごとに印加電圧の極性が反転する反転パターンになっている。図２０は、ドット反転駆動モードにおける各画素電極の印加電圧の極性を模式的に示す図である。図１、図１６乃至図２０を用いて、別の実施形態における駆動モードの切替え動作が説明される。
【００９８】
図１６において、フレームＦ１〜Ｆ６では、フレームレートが６０Ｈｚになっている。このため、制御部１１は、上記実施形態と同様に、駆動モードを図１７に示されるカラム反転駆動モードとする。そして、例えばフレームＦ１，Ｆ３，Ｆ５では、図１２（ｂ）に示される極性状態になり、フレームＦ２，Ｆ４，Ｆ６では、図１７に示される極性状態になる。
【００９９】
フレームＦ７では、フレームレートが３０Ｈｚに切り替えられる。このため、制御部１１は、駆動モードを中間反転駆動モードに切り替える。ここでは、ゲート信号線の本数ｎ＝８としている。よって、（ｎ／２）＝４となる。そこで、制御部１１は、中間反転駆動モードとして、まず、４本のゲート信号線ごとに印加電圧の極性が反転する図１８に示される反転パターンを使用する。つまり、図１６において、反転ライン数が８（カラム反転）から４に減少する。そして、フレームＦ７では、図１８に示される極性状態になる。
【０１００】
次に、フレームＦ８では、制御部１１は、中間反転駆動モードの反転パターンを切り替える。ここで、ｎ＝８であるため、（ｎ／２２）＝２となる。そこで、制御部１１は、中間反転駆動モードとして、次に、２本のゲート信号線ごとに印加電圧の極性が反転する図１８に示される反転パターンを使用する。つまり、図１６において、反転ライン数が４から２に減少する。そして、フレームＦ８では、図１９に示される極性状態になる。
【０１０１】
次に、フレームＦ９では、制御部１１は、中間反転駆動モードの反転パターンを切り替える。ここで、ｎ＝８であるため、（ｎ／２３）＝１となる。そこで、制御部１１は、中間反転駆動モードから図２０に示されるドット反転駆動モードに切り替える。つまり、図１６において、反転ライン数が２から１（ドット反転）に減少する。そして、例えばフレームＦ９，Ｆ１１では、図２０に示される極性状態になり、フレームＦ１０，Ｆ１２では、図１５（ａ）に示される極性状態になる。
【０１０２】
図１６に示される移行過程でも、上記図１１に示される移行過程と同様に、カラム反転駆動モードから直接ドット反転駆動モードに、またはドット反転駆動モードから直接カラム反転駆動モードに、切り替わる場合に比べて、駆動モードを滑らかに切り替えることができ、画像の表示品位の低下を防止することができる。
【０１０３】
ここで、図１６に示されるように１フレームごとに反転パターンを切り替える移行過程に比べて、上記図１１に示されるように、同じ反転パターンを少なくとも２フレーム連続して使用する移行過程の方が好ましい。この理由が説明される。
【０１０４】
図１６乃至図２０に示される移行過程において、図１７に示される極性状態のフレームＦ６から図２０に示される極性状態のフレームＦ９まで連続する４フレームにおいて、例えばソース信号線Ｓ１に接続された画素電極に対する印加電圧の極性の推移は、以下のようになっている。
【０１０５】
例えばゲート信号線Ｇ１に接続された画素電極は、フレームＦ６〜Ｆ９の４フレームの間、フレームごとに極性が反転している。これに対して、例えばゲート信号線Ｇ２に接続された画素電極は、図２０に示されるフレームＦ９の時点において、フレームＦ８〜Ｆ９の２フレーム連続して同じ極性になっている。また、例えばゲート信号線Ｇ３に接続された画素電極は、図２０に示されるフレームＦ９の時点において、フレームＦ７〜Ｆ９の３フレーム連続して同じ極性になっている。また、例えばゲート信号線Ｇ６に接続された画素電極は、図２０に示されるフレームＦ９の時点において、フレームＦ６〜Ｆ９の４フレーム連続して同じ極性になっている。
【０１０６】
このように、図１６乃至図２０に示される移行過程では、図２０に示されるフレームＦ９の時点において、極性がフレームごとに反転するゲート信号線Ｇ１に接続された画素電極と、極性が４フレーム連続して同じであるゲート信号線Ｇ６に接続された画素電極との間において、印加電圧に対する応答性の差が最も大きくなる。
【０１０７】
これに対して、同じ反転パターンを少なくとも２フレーム連続して使用する上記図１１に示される移行過程では、当該連続して使用するフレーム間で、全ての画素電極への印加電圧の極性が反転する。したがって、同じ極性が連続するフレーム数は、反転パターンが切り替えられる２フレームの間に限られる。例えば、ソース信号線Ｓ１に接続された画素電極のうち、図１３（ｂ）に示される反転パターンのフレームから図１４（ａ）に示される反転パターンのフレームに切り替えられる際は、ゲート信号線Ｇ３〜Ｇ６に接続された画素電極の極性が同じになる。しかし、次の図１４（ａ）に示される反転パターンのフレームから図１４（ｂ）に示される反転パターンのフレームに切り替えられる際は、反転パターンが同じであるため、全ての極性が反転している。
【０１０８】
したがって、上記図１１に示される移行過程では、図１６乃至図２０に示される移行過程に比べて、各画素電極の間における印加電圧に対する応答性の差異を抑制することができる。その結果、容易に、画素の輝度をほぼ同じレベルにすることができる。このため、図１６乃至図２０に示される移行過程より、上記図１１に示される移行過程の方が好ましい。
【０１０９】
上記実施形態では、例えば図１１に示されるように、フレームレートが６０ＨｚになっているフレームＦ６の次のフレームＦ７において、フレームレートが３０Ｈｚにされている。しかし、フレームレートが徐々に低下する実施形態でもよい。例えば、フレームＦ７において５０Ｈｚとし、フレームＦ８において４０Ｈｚとし、フレームＦ９において３０Ｈｚとして、段階的にフレームレートが低下する実施形態でもよい。このような実施形態においても、検出部２１は、フレームＦ７においてフレームレートが６０Ｈｚ未満であることを検出する。したがって、制御部１１は、駆動モードをカラム反転駆動モードから中間反転駆動モードに切り替える。その結果、上記実施形態と同様の動作が行われる。
【０１１０】
上記実施形態では、説明の簡単化のために、ゲート信号線の本数ｎ＝８の場合が説明されている。しかし、ｎ＝８は一例であって、例えばｎ＝１０２４など他の値でもよい。
【０１１１】
上記実施形態の図５の中間反転駆動モードでは、一のソース信号線に接続された画素電極への印加電圧の極性は１回反転する反転パターンになっている。また、上記実施形態の図６の中間反転駆動モードでは、一のソース信号線に接続された画素電極への印加電圧の極性は２回反転する反転パターンになっている。しかし、極性の反転パターンは、図５及び図６と異なる反転パターンでもよい。
【０１１２】
図５の反転パターンに代えて、一のソース信号線に接続された画素電極への印加電圧の極性が、Ｍ（Ｍは正の整数）回反転した反転パターン（第１極性反転パターン）でもよい。また、図６の反転パターンに代えて、一のソース信号線に接続された画素電極への印加電圧の極性が、Ｎ（ＮはＭより大きい整数）回反転した反転パターン（第２極性反転パターン）でもよい。また、図５の反転パターンに代えて、Ｌ（Ｌは２より大きい整数）本のゲート信号線ごとに極性が反転した反転パターン（第１極性反転パターン）でもよい。また、図６の反転パターンに代えて、Ｋ（Ｋは２以上かつＬ未満の整数）本のゲート信号線ごとに極性が反転した反転パターン（第２極性反転パターン）でもよい。また、Ｋ本またはＬ本の一定本数のゲート信号線ごとに極性が反転した反転パターンでなくて、異なる本数のゲート信号線ごとに極性が反転した反転パターンでもよい。
【０１１３】
上記実施形態では、制御部１１は、カラム反転駆動モードからドット反転駆動モードに切り替える際に、中間反転駆動モードにおいて、極性が反転するゲート信号線の本数を１／２ずつ減少させた反転パターンを順に使用している。すなわち、ゲート信号線の本数ｎが、例えばｎ＝１０２４の場合には、制御部１１は、中間反転駆動モードにおいて、順に、５１２本、２５６本、１２８本、６４本、３２本、１６本、８本、４本、２本のゲート信号線ごとに反転させた反転パターンを使用する。しかし、１／２ずつに限られず、制御部１１は、カラム反転駆動モードからドット反転駆動モードに切り替える際に、中間反転駆動モードにおいて、極性が反転するゲート信号線の本数を段階的に徐々に減少させた反転パターンを順に使用すればよい。ドット反転駆動モードからカラム反転駆動モードに切り替える際には、同様に、中間反転駆動モードにおいて、極性が反転するゲート信号線の本数を段階的に徐々に増加させた反転パターンを順に使用すればよい。
【０１１４】
上記実施形態では、カラム反転駆動モードとドット反転駆動モードとの間で駆動モードを切り替える際に、中間反転駆動モードを経て切り替えている。しかし、駆動モードの切替えは、カラム反転駆動モードとドット反転駆動モードとの間に限られない。
【０１１５】
上記実施形態の変形形態として、例えば、カラム反転駆動モード（図１２）と、２ラインごとに極性が反転する２ライン反転駆動モード（図１４）との間で、駆動モードを切り替える形態でもよい。この場合には、例えば図１３に示される中間反転駆動モードを経て切り替えればよい。これによって、図１２に示される駆動モードと図１４に示される駆動モードとの間で直接切り替える場合に比べて、駆動モードを滑らかに切り替えることができる。この変形形態において、カラム反転駆動モード（図１２）が第１駆動モードの一例に相当し、２ライン反転駆動モード（図１４）が第２駆動モードの一例に相当する。
【０１１６】
なお、この変形形態において、第１駆動モードは、カラム反転駆動モード（図１２）に限られない。第１駆動モードは、例えば、一のソース信号線に接続された画素電極への印加電圧の極性をＸ（ＸはＬより大きい整数）本のゲート信号線ごとに反転させた駆動モードでもよい。また、この変形形態において、第２駆動モードは、２ライン反転駆動モード（図１４）に限られない。第２駆動モードは、例えば、一のソース信号線に接続された画素電極への印加電圧の極性をＹ（Ｙは１以上かつＫ未満の整数）本のゲート信号線ごとに反転させた駆動モードでもよい。ここで、Ｌ，Ｋは上述の整数である。
【０１１７】
さらに、この変形形態において、第１駆動モードは、例えば一のソース信号線に接続された画素電極に印加する電圧の極性をＩ回（Ｉは０以上かつＭ未満の整数）反転させた駆動モードでもよく、第２駆動モードは、一のソース信号線に接続された画素電極に印加する電圧の極性をＪ回（ＪはＭより大きい整数）反転させた駆動モードでもよい。この場合において、第２極性反転パターンは、一のソース信号線に接続された画素電極に印加する電圧の極性をＮ（ＮはＭより大きく、かつＪ未満の整数）回反転させればよい。ここで、Ｍ，Ｎは上述の整数である。
【０１１８】
上記実施形態の別の変形形態として、例えば、４ラインごとに極性が反転する４ライン反転駆動モード（図１３）と、ドット反転駆動モード（図１５）との間で、駆動モードを切り替える形態でもよい。この場合には、例えば図１４に示される中間反転駆動モードを経て切り替えればよい。これによって、図１３に示される駆動モードと図１５に示される駆動モードとの間で直接切り替える場合に比べて、駆動モードを滑らかに切り替えることができる。この別の変形形態において、図１３に示される４ライン反転駆動モードが第１駆動モードの一例に相当し、図１５に示されるドット反転駆動モードが第２駆動モードの一例に相当する。
【０１１９】
なお、この別の変形形態において、第１駆動モードは、４ライン反転駆動モード（図１３）に限られない。第１駆動モードは、例えば、一のソース信号線に接続された画素電極への印加電圧の極性をＸ（ＸはＬより大きい整数）本のゲート信号線ごとに反転させた駆動モードでもよい。また、この別の変形形態において、第２駆動モードは、ドット反転駆動モード（図１５）に限られない。第２駆動モードは、例えば、一のソース信号線に接続された画素電極への印加電圧の極性をＹ（Ｙは１以上かつＫ未満の整数）本のゲート信号線ごとに反転させた駆動モードでもよい。ここで、Ｌ，Ｋは上述の整数である。
【０１２０】
さらに、この別の変形形態において、第１駆動モードは、例えば一のソース信号線に接続された画素電極に印加する電圧の極性をＩ回（Ｉは０以上かつＭ未満の整数）反転させた駆動モードでもよく、第２駆動モードは、一のソース信号線に接続された画素電極に印加する電圧の極性をＪ回（ＪはＭより大きい整数）反転させた駆動モードでもよい。この場合において、第２極性反転パターンは、一のソース信号線に接続された画素電極に印加する電圧の極性をＮ（ＮはＭより大きく、かつＪ未満の整数）回反転させればよい。ここで、Ｍ，Ｎは上述の整数である。
【産業上の利用可能性】
【０１２１】
入力画像信号に基づく画像をフレームごとに液晶表示部に表示する液晶表示装置において、液晶表示部の駆動モードの切替え時に、画像の表示品位が過度に低下するのを抑制することができる液晶表示装置として有用である。
【符号の説明】
【０１２２】
１１  制御部
１２  液晶表示パネル
１３  ゲート駆動部
１４  ソース駆動部
２２  決定部
Ｂ  青色の画素電極
Ｇ  緑色の画素電極
Ｇ１，Ｇ２，・・・，Ｇｎ  ゲート信号線
Ｒ  赤色の画素電極
Ｓ１，Ｓ２，・・・，Ｓｍ  ソース信号線
【図１】
2014056091.tif 000003
【図２】
2014056091.tif 000004
【図３】
2014056091.tif 000005
【図４】
2014056091.tif 000006
【図５】
2014056091.tif 000007
【図６】
2014056091.tif 000008
【図７】
2014056091.tif 000009
【図８】
2014056091.tif 000010
【図９】
2014056091.tif 000011
【図１０】
2014056091.tif 000012
【図１１】
2014056091.tif 000013
【図１２】
2014056091.tif 000014
【図１３】
2014056091.tif 000015
【図１４】
2014056091.tif 000016
【図１５】
2014056091.tif 000017
【図１６】
2014056091.tif 000018
【図１７】
2014056091.tif 000019
【図１８】
2014056091.tif 000020
【図１９】
2014056091.tif 000021
【図２０】
2014056091.tif 000022